(57)【要約】【課題】フィルタの下本体への組付性を害することなく、フィルタの下本体からの外れを防止すること。【解決手段】リザーバタンクＡ１は、タンク本体１０とこのタンク本体内に収容されるフィルタ２０を備えていて、タンク本体１０が熱可塑性樹脂製の上本体１１および下本体１２を有し、フィルタ２０が下本体１２の開口部１２ａに隙間を有する状態にて挿入される熱可塑性樹脂製の枠体２１と同枠体に組付けられたフィルタ本体２２とを有している。上本体１１の下端開口縁部１１ａと下本体１２の上端開口縁部１２ｂと枠体２１の端部２１ａには熱板３０との当接によって溶融され熱板３０の退出後に互いに溶着される接合部（１１ａ・１２ｂ・２１ａ）が設けられ、枠体２１には熱板３０の退出に際してフィルタ２０の下本体１２からの外れを防止する係合部２１ｂが設けられている。【選択図】  図１
2015217698.tif 000002
【特許請求の範囲】
【請求項１】
タンク本体とこのタンク本体内に収容されるフィルタを備えていて、前記タンク本体が熱可塑性樹脂製の上本体および下本体を有し、前記フィルタが前記下本体または前記上本体の開口部に隙間を有する状態にて挿入される熱可塑性樹脂製の枠体と同枠体に組付けられたフィルタ本体とを有しており、前記上本体の下端開口縁部と前記下本体の上端開口縁部と前記枠体の端部には熱板との当接によって溶融され前記熱板の退出後に互いに溶着される接合部が設けられ、前記枠体には前記熱板の退出に際して前記フィルタの前記下本体または前記上本体からの外れを防止する係合部が設けられているリザーバタンク。
【請求項２】
請求項１に記載のリザーバタンクにおいて、
前記係合部は、前記枠体の一部または全周囲を包囲する前記下本体または前記上本体の周壁に設けた係止部に対して係合可能に構成されていることを特徴とするリザーバタンク。
【請求項３】
請求項１に記載のリザーバタンクにおいて、
前記係合部は、前記下本体の下壁または前記上本体の上壁に設けた係止部に対して係合可能に構成されていることを特徴とするリザーバタンク。
【発明の詳細な説明】
【技術分野】
【０００１】
本発明は、リザーバタンクに係り、特に、タンク本体とこのタンク本体内に収容されるフィルタを備えていて、前記タンク本体が熱可塑性樹脂製の上本体および下本体を有し、前記フィルタが前記下本体(または前記上本体)の開口部に挿入される熱可塑性樹脂製の枠体と同枠体に組付けられたフィルタ本体とを有しているリザーバタンクに関する。
【背景技術】
【０００２】
この種のリザーバタンクは、例えば、下記特許文献１に記載されていて、同特許文献１に記載されているリザーバタンクにおいては、前記上本体の下端開口縁部と前記下本体の上端開口縁部と前記枠体の端部の接合に際して、接合部での溶融・溶着に際して熱板が使用されることがある。
【先行技術文献】
【特許文献】
【０００３】
【特許文献１】特開平１１−２７８２４０号公報
【発明の概要】
【０００４】
ところで、上記した特許文献１に記載されているリザーバタンクにおいて、フィルタの枠体が下本体または上本体の開口部に隙間を有する状態にて挿入される構成を採用した場合には、フィルタの枠体を下本体または上本体の開口部に容易に組付けることができて、フィルタの組付性を高めることが可能である。しかし、かかる場合には、フィルタの枠体が熱板との当接によって溶融・付着して、熱板の退出に際してフィルタの枠体が下本体または上本体の開口部から外れて脱落するおそれがある。
【０００５】
本発明は、上記した課題を解決すべくなされたもの（フィルタの下本体または上本体からの外れを防止すること）であり、
タンク本体とこのタンク本体内に収容されるフィルタを備えていて、前記タンク本体が熱可塑性樹脂製の上本体および下本体を有し、前記フィルタが前記下本体または前記上本体の開口部に隙間を有する状態にて挿入される熱可塑性樹脂製の枠体と同枠体に組付けられたフィルタ本体とを有しており、前記上本体の下端開口縁部と前記下本体の上端開口縁部と前記枠体の端部には熱板との当接によって溶融され前記熱板の退出後に互いに溶着される接合部が設けられ、前記枠体には前記熱板の退出に際して前記フィルタの前記下本体または前記上本体からの外れを防止する係合部が設けられているリザーバタンク
に特徴がある。
【０００６】
上記した本発明の実施に際して、前記係合部は、前記枠体の一部または全周囲を包囲する前記下本体または前記上本体の周壁に設けた係止部に対して係合可能に構成されていること、または、前記係合部は、前記下本体の下壁または前記上本体の上壁に設けた係止部に対して係合可能に構成されていることも可能である。
【０００７】
上記した本発明のリザーバタンクにおいては、フィルタの下本体または上本体への組付に際して、フィルタの熱可塑性樹脂製の枠体が下本体または上本体の開口部に隙間を有する状態にて挿入されるため、フィルタを下本体または上本体に容易に組付けることが可能である。また、熱板の退出に際して、枠体に設けた係合部により、前記フィルタの前記下本体または前記上本体からの外れを防止することができる。これにより、フィルタの下本体または上本体への組付性を害することなく、フィルタの下本体または上本体からの外れを防止することができて、当該リザーバタンクの製作性を向上させることが可能である。
【０００８】
また、当該リザーバタンクでは、上本体の下端開口縁部と下本体の上端開口縁部と枠体の端部が、熱板との当接によって溶融され熱板の退出後に互いに溶着されることにより、上記した隙間が埋められる。このため、上記した接合部での結合強度が十分に確保されるとともに、上記した隙間への流体の流入（上記した隙間を通した流体の流動）が防止されて、フィルタの機能が確実に得られる。
【０００９】
上記した本発明の実施に際して、前記係合部が、前記枠体の一部または全周囲を包囲する前記下本体または前記上本体の周壁に設けた係止部に対して係合可能に構成されている場合には、シンプルな構成にて実施可能であり、安価に製作することが可能である。また、前記係合部が、前記下本体の下壁または前記上本体の上壁に設けた係止部に対して係合可能に構成されている場合には、係合部と係止部の係合による応力が、下本体および上本体とフィルタとの接合部に作用しないため、接合部での強度確保がしやすい。
【図面の簡単な説明】
【００１０】
【図１】本発明によるリザーバタンクの第１実施形態を示す縦断断面図である。
【図２】図１の破線で囲んだ部分の拡大断面図である。
【図３】図１及び図２に示したフィルタの斜視図である。
【図４】図３に示したフィルタの第１変形実施形態を示す斜視図である。
【図５】図３に示したフィルタの第２変形実施形態を示す斜視図である。
【図６】図２に示した係合部と係止部の断面形状の第１変形例を示す断面図である。
【図７】図２に示した係合部と係止部の断面形状の第２変形例を示す断面図である。
【図８】図２に示した係合部と係止部の断面形状の第３変形例を示す断面図である。
【図９】（ａ）係合部を枠体の対角にある隅角部底面に設け、係止部を下本体の対角にある隅角部底壁（下壁）に設けた第２実施形態を示す縦断断面図であり、（ｂ）は（ａ）に示した第２実施形態の平面図である。
【図１０】（ａ）係合部を枠体の左右中央部底面に設け、係止部を下本体の周壁左右中央下方部位に設けた第３実施形態を示す縦断断面図であり、（ｂ）は（ａ）に示した第３実施形態の平面図である。
【図１１】（ａ）係合部を枠体の左右中央側底部に設け、係止部を下本体の底壁に設けた第４実施形態を示す縦断断面図であり、（ｂ）は（ａ）に示した第４実施形態の平面図である。
【発明を実施するための形態】
【００１１】
以下に、本発明の実施形態を図面に基づいて説明する。図１〜図３は本発明によるリザーバタンクの第１実施形態を示していて、この第１実施形態のリザーバタンクＡ１は、タンク本体１０とこのタンク本体１０内に収容されるフィルタ２０を備えている。タンク本体１０は、熱可塑性樹脂製（例えば、ＰＰ樹脂製）の上本体１１および下本体１２を有している。フィルタ２０は、下本体１２の図示左方開口部１２ａに所要の隙間ｃ（図２参照）を有する状態にて挿入される熱可塑性樹脂製（例えば、ＰＰ樹脂製）で矩形の枠体２１と、同枠体２１に組付けられたフィルタ本体２２とを有している。
【００１２】
上記した第１実施形態のリザーバタンクＡ１では、図１に示したように、上本体１１の下端開口縁部１１ａと、下本体１２の上端開口縁部１２ｂと、枠体２１の上端部２１ａの接合に際して、接合部（１１ａ、１２ｂ、２１ａ）での溶融・溶着に際して鉄製の熱板３０が使用されている。なお、上本体１１の下端開口縁部１１ａと、下本体１２の上端開口縁部１２ｂと、枠体２１の上端部２１ａは、熱板３０との当接によって溶融され、熱板３０の退出後に互いに溶着されることにより接合されている。
【００１３】
ところで、上記した第１実施形態のリザーバタンクＡ１では、図２および図３にて明瞭に示したように、フィルタ２０の枠体２１に二対４個の係合部２１ｂが設けられている。各係合部２１ｂは、半球状の突起（係合凸部）であり、枠体２１の各辺（周壁）の中央部外側にそれぞれ形成されていて、下本体１２の周壁内側に形成した各係止部１２ｃに対して係合可能に構成されている。各係止部１２ｃは、半球状の凹部であり、各係合部２１ｂが隙間ｃを有する状態にて嵌合していて、熱板３０の退出に際して、各係合部２１ｂと協同してフィルタ２０の下本体１２からの外れを防止する機能を有している。
【００１４】
上記のように構成したこの第１実施形態のリザーバタンクＡ１においては、フィルタ２０の下本体１２への組付に際して、フィルタ２０の熱可塑性樹脂製の枠体２１が下本体１２の開口部１２ａに隙間ｃを有する状態にて挿入されるため、フィルタ２０を下本体１２に容易に組付けることが可能である。また、熱板３０の退出に際して、枠体２１に設けた各係合部２１ｂにより、フィルタ２０の下本体１２からの外れを防止することができる。これにより、フィルタ２０の下本体１２への組付性を害することなく、フィルタ２０の下本体１２からの外れを防止することができて、当該リザーバタンクＡ１の製作性を向上させることが可能である。
【００１５】
また、当該リザーバタンクＡ１では、上本体１１の下端開口縁部１１ａと下本体１２の上端開口縁部１２ｂと枠体２１の上端部２１ａが、熱板３０との当接によって溶融され熱板３０の退出後に互いに溶着されることにより、上記した隙間ｃが埋められる。このため、上記した接合部（溶融・溶着される１１ａ、１２ｂ、２１ａ）での結合強度が十分に確保されるとともに、上記した隙間ｃへの流体の流入（上記した隙間ｃを通した流体の流動）が防止されて、フィルタ２０の機能が確実に得られる。
【００１６】
また、上記したリザーバタンクＡ１では、各係合部２１ｂが、枠体２１の全周囲を包囲する下本体１２の周壁（側壁）に設けた係止部１２ｃに対して係合可能に構成されているため、シンプルな構成にて実施可能であり、安価に製作することが可能である。
【００１７】
上記した第１実施形態では、各係合部２１ｂを、図３に示したように、枠体２１の各辺の中央部外側にそれぞれ形成して実施したが、各係合部２１ｂを、図４または図５に示したように設けて実施することも可能である。図４に示した第１変形実施形態では、枠体２１の二辺全体外側に各係合部２１ｂが直線状に形成されている。また、図５に示した第２変形実施形態では、枠体２１の四辺全体外側に各係合部２１ｂが直線状に形成されている。
【００１８】
また、上記した第１実施形態では、各係合部２１ｂと各係止部１２ｃの断面形状が半円形状となるように構成した実施したが、各係合部２１ｂと各係止部１２ｃの断面形状は適宜に設定可能であり、例えば、図６または図７或いは図８に示した断面形状として実施することも可能である。図６に示した第１変形例では、各係合部２１ｂが凸状で断面形状が矩形形状となるように、また、各係止部１２ｃが凹状で断面形状が矩形形状となるように構成されている。図７に示した第２変形例では、各係合部２１ｂが凹状で断面形状が矩形形状となるように、また、各係止部１２ｃが凸状で断面形状が矩形形状となるように構成されている。図８に示した第３変形例では、各係合部２１ｂが凸状で断面形状が楔形状となるように、また、各係止部１２ｃが凹状で断面形状が楔形状となるように構成されている。
【００１９】
また、上記した第１実施形態では、係合部２１ｂを枠体２１の周壁外側に設けるとともに、係止部１２ｃを下本体１２の周壁内側に設けて実施したが、係合部２１ｂと係止部１２ｃの配設位置は、適宜設定可能であり、例えば、図９または図１０或いは図１１に示した各実施形態のように、係合部２１ｂと係止部１２ｃの配設位置を変更して実施することも可能である。
【００２０】
図９に示した第２実施形態では、係合部２１ｂが枠体２１の対角にある隅角部底面に設けられるとともに、係止部１２ｃが下本体１２の対角にある隅角部底壁（下壁）に設けられている。この第２実施形態において、係合部２１ｂは上下方向に延びる係合ピンであり、係止部１２ｃは係合ピン（係合部２１ｂ）が上下方向にて嵌合する嵌合穴である。
【００２１】
また、図１０に示した第３実施形態では、係合部２１ｂが枠体２１の左右中央部底面に設けられるとともに、係止部１２ｃが下本体１２の周壁左右中央下方部位に設けられている。この第３実施形態において、係合部２１ｂは枠体２１の底面から下方に延びる脚部の下端部から水平方向に延びる係合突起であり、係止部１２ｃは係合突起（係合部２１ｂ）が水平方向にて嵌合する嵌合穴である。
【００２２】
また、図１１に示した第４実施形態では、係合部２１ｂが枠体２１の左右中央部底部に設けられるとともに、係止部１２ｃが下本体１２の底壁に設けられている。この第４実施形態において、係合部２１ｂは枠体２１の底部側面に設けた係合凹部であり、係止部１２ｃは下本体１２の底壁から上方に延びるアームの上端部から水平方向に突出し係合凹部（係合部２１ｂ）と凹凸嵌合する突起（凸部）である。
【００２３】
上記した各実施形態においては、フィルタ２０が下本体１２の上端開口部１２ａに隙間ｃを有する状態にて挿入されるように構成して実施したが、本発明の実施に際しては、フィルタ２０が上本体１１の下端開口部に隙間を有する状態にて挿入されるように構成して実施することも可能である。
【符号の説明】
【００２４】
Ａ１…リザーバタンク、１０…タンク本体、１１…上本体、１１ａ…下端開口縁部、１２…下本体、１２ａ…開口部、１２ｂ…上端開口縁部、１２ｃ…係止部、２０…フィルタ、２１…枠体、２１ａ…上端部、２１ｂ…係合部、２２…フィルタ本体、３０…熱板、ｃ…隙間、１１ａ・１２ｂ・２１ａ…接合部
【図１】
2015217698.tif 000003
【図２】
2015217698.tif 000004
【図３】
2015217698.tif 000005
【図４】
2015217698.tif 000006
【図５】
2015217698.tif 000007
【図６】
2015217698.tif 000008
【図７】
2015217698.tif 000009
【図８】
2015217698.tif 000010
【図９】
2015217698.tif 000011
【図１０】
2015217698.tif 000012
【図１１】
2015217698.tif 000013